(57)【要約】      （修正有）【課題】うちわの表面に文字や絵を書くことができるようにし、書くための筆記具をうちわとともに常に保持できる応援用うちわを提供する。【解決手段】厚紙又は合成紙からなるうちわであって、外縁部に切り欠き４を有する。【選択図】図１
0003223328.tif 000002
【実用新案登録請求の範囲】
【請求項１】
厚紙又は合成紙からなるうちわであって、外縁部に切り欠きを有することを特徴とする応援用うちわ。
【請求項２】
請求項１記載の厚紙又は合成紙に対し、オフセット印刷によって、絵や文字又は写真を印刷することを特徴とする請求項１記載の応援用うちわ。
【請求項３】
請求項１記載の厚紙又は合成紙に対し、筆記具を用いて、絵や文字を書くことを特徴とする請求項１又は請求項２に記載の応援用うちわ。
【請求項４】
請求項１記載の切り欠きに、前記の筆記具を取り外し可能に固定したことを特徴とする請求項１ないし請求項３に記載の応援用うちわ。
【考案の詳細な説明】
【技術分野】
【０００１】
本考案は、うちわを、メッセージを伝える道具として使用するために、メッセージを記載するための筆記具とうちわとを一体化し、常に一緒に携帯できるようにしたものである。
【背景技術】
【０００２】
うちわは通常暑い時に扇いで、空気の流れを作って涼しくする道具である。また、うちわの表面に文字や絵を印刷して、販促用の道具として使用されることもある。たとえば、特許文献１には、うちわの表面に文字や絵を印刷して販促の道具として使用するうちわを開示している。また、特許文献２には、うちわの外縁に切り欠きを設けて、展示会などでうちわを展示するときに保持できるうちわを開示している。
【先行技術文献】
【特許文献】
【０００３】
【特許文献１】実用新案登録第３１７１３２９号公報
【特許文献２】特開２００３−２０５９３４
【考案の概要】
【考案が解決しようとする課題】
【０００４】
しかしながら、従来技術では、うちわを、メッセージを伝える道具として使用することは想定されておらず、また、メッセージを記載するボードはあっても筆記具がなくてタイムリーな応援ができないという課題がある。すなわち、タイムリーにうちわの表面に文字や絵を書くための道具やそのための筆記具についての対応が不十分である。そこで、うちわに文字や絵を書くことがタイムリーにできて、かつ、筆記具をうちわとともに常に持ち歩けるようにする道具の提案が強く望まれている。
【０００５】
本考案は、上記事情に鑑みてなされたものであり、うちわの表面に文字や絵を書くことができるようにし、そして、書くための筆記具をうちわとともに常に保持できるようにした応援用うちわを提供することを目的とする。
【課題を解決するための手段】
【０００６】
上記目的を達成するために、応援用うちわに係る請求項１の考案は、厚紙や合成紙からなるうちわの外縁部に切り欠きを有していることを特徴とする。（請求項１）
【０００７】
請求項２にかかる考案は、請求項１に記載する厚紙や合成紙にオフセット印刷により絵や文字を印刷できることを特徴とする。（請求項２）
【０００８】
請求項３にかかる考案は、請求項１に記載する厚紙や合成紙に筆記具によって絵や文字を書くことができることを特徴とする。（請求項３）
【０００９】
請求項４にかかる考案は、請求項１記載の切り欠きに、筆記具を固定し、応援用うちわと筆記具を常に保持できることを特徴とする。（請求項４）。
【考案の効果】
【００１０】
本考案の応援用うちわを使うと、野球場やマラソン競技などの競技が行われる時の沿道において、さらにはコンサート会場において、応援用うちわに選手や歌手並びにアイドルの名前などを記載してタイミングよく応援することができる。また、次のタイミングでは、別の選手や歌手の名前に書き替えて応援することができるという効果がある。また、応援用うちわに選手やアイドルの写真を印刷して応援することができる。さらに、外縁部の切り欠きによって、うちわの表面と裏面を明確に認識できるので、製造過程における印刷面の間違いを少なくできるという効果もある。
【図面の簡単な説明】
【００１１】
【図１】本考案の実施形態にかかる切り欠きを有する応援用うちわと切り欠きに筆記具を固定した図である。
【図２】本考案の実施形態にかかる柄がない応援用うちわの図である。
【図３】本考案の実施形態にかかる柄がある四角形の応援用うちわの図である。
【図４】方考案の実施形態にかかる柄がない四角形の応援用うちわの図である。
【図５】本考案の実施形態にかかる応援用うちわの片面に応援のための文字を書いた応援用うちわを手で握って応援している図である。
【考案を実施するための形態】
【００１２】
以下、本考案の実施形態について図面を参照して詳細に説明する。
【００１３】
図１は、本考案の実施形態にかかる応援用うちわの基本的な構成を表す図である。図２は、本考案のさまざまな形態のうち柄のない応援用うちわの構成を表す図、図３は、本考案のさまざまな形態のうち、うちわ部が四角形である応援用うちわの構成を表す図で、図４は、本考案のさまざまな形態のうち柄のないうちわ部が四角形である応援用うちわの構成を表す図で、図５は、本考案の応援用うちわに応援するための文字を書いて応援している模様を表した図である。
【００１４】
これらの図を参考にして、本考案の応援用うちわ１の全体構成の概要を説明すると、応援用うちわ１の外縁部に切り欠き４を有し、応援用うちわ１を保持するための柄２を有している構成となっている。さらに、切り欠き４は、切り欠き下線４１と切り欠き上線４２並びに切り欠き奥４３から構成され、切り欠き下線４１は柄２の下端部線と平行になるように構成され、切り欠き上線４２は外縁部下端方向に斜めに伸びるように構成されている。そして、筆記具３が、切り欠き上線４２と平行になるように切り欠き奥４３に固定されている。
【００１５】
応援用うちわ１は、柄２のある形状のものや柄２のない形状のものや多角形の形状のものもあり、応援用うちわ１として使用できる大きさ及び形状のものであれば、形状や大きさ並びに長さは特に限定されない。
【００１６】
応援用うちわ１の材質は、厚紙または合成紙であるが、厚紙の場合は文字のとり扱い性能の問題からポロプロピレンなどのフィルムをコーティングすることが好ましい。
【００１７】
応援用うちわ１には、筆記具３を使って、応援のための文字６を書くことができ、また、イレーザーによって消すことも可能である。
【００１８】
筆記具３は、筆記具キャップ３１と筆記具本体３２から構成され、筆記具キャップ３１を使って、切り欠き奥４３に固定する。
【００１９】
応援用うちわ１を使って、応援するときの態様は、図５が示すように、応援用うちわ１の片面または両面に、応援のための文字または絵６が描かれ、柄２を保持して応援用うちわ１を左右に振ることによって応援道具として使用される。
【００２０】
筆記具３は、切り欠き奥４３及び切り欠き下線４１に切り欠き上線４２と平行に固定されているので、応援用うちわ１を応援のために左右に振り回しても落ちることはない。
【００２１】
筆記具３を応援用うちわ１に固定する方法としては、切り欠き４側にある柄２付近に切り込みを設けて、切り欠き４に筆記具キャップ３１を固定すると同時に、当該切り込みに筆記具３の先端を挿入して固定する方法がある。
【００２２】
なお、本考案は、上述した実施形態に限定されることなく実用新案登録請求の範囲を逸脱しない範囲において種々の変形実施、応用実施が可能であることは勿論である。
【産業上の利用可能性】
【００２３】
本考案は、競技場や野球場やコンサート会場で応援するための道具であって、暑いときに必ず使用するうちわを応援のためのボードとして使い、また、応援のための文字や絵６を書くための筆記具３を、応援ボードとしての応援用うちわ１と一体化させ、常に携帯できる道具として提供する。これにより、新たな需要を喚起し各種の業界の発展に寄与する。
【符号の説明】
【００２４】
１：応援用うちわ
２：柄
３：筆記具
３１：筆記具キャップ
３２：筆記具本体
４：切り欠き
４１：切り欠き下線
４２：切り欠き上線
４３：切り欠き奥
５：孔
６：応援用のための文字または絵
【図１】
0003223328.tif 000003
【図２】
0003223328.tif 000004
【図３】
0003223328.tif 000005
【図４】
0003223328.tif 000006
【図５】
0003223328.tif 000007
【手続補正書】
【提出日】令和1年7月31日(2019.7.31)
【手続補正１】
【補正対象書類名】実用新案登録請求の範囲
【補正対象項目名】全文
【補正方法】変更
【補正の内容】
【実用新案登録請求の範囲】
【請求項１】
厚紙又は合成紙からなるうちわであって、外縁部に切り欠きを有することを特徴とする応援用うちわ。
【請求項２】
前記厚紙又は合成紙に対し、オフセット印刷によって、絵や文字又は写真を印刷することを特徴とする請求項１記載の応援用うちわ。
【請求項３】
前記厚紙又は合成紙に対し、筆記具を用いて、絵や文字を書くことを特徴とする請求項１又は請求項２に記載の応援用うちわ。
【請求項４】
前記切り欠きに、前記の筆記具を取り外し可能に固定したことを特徴とする請求項３に記載の応援用うちわ。